(57)【要約】      （修正有）【課題】複雑でない構造の定量注射筒用プランジャを提供する。【解決手段】細長い形状を有し、細長い形状の外周上の第１の領域で長軸方向に延在するラチェット歯１００３を備えるプランジャ本体１００１と、プランジャが挿入される貫通孔１００７を有し、貫通孔の内面がラチェット歯と係合してラチェット機構を構成する爪部１０１１及びプランジャを支持するプランジャ支持部１０１３を備えるフランジ１００５と、を備え、プランジャは、細長い形状の外周上の第２の領域で長軸方向に延在する第１の平面１０１７を備え、プランジャ支持部は、プランジャに面する第２の平面１０１９を備え、第１の平面が第２の平面と接するとき、ラチェット歯が爪部と係合するように配置される定量注射筒用プランジャとする。【選択図】図２
2020188858.tif 000002
【特許請求の範囲】
【請求項１】
細長い形状を有し、前記細長い形状の外周上の第１の領域で長軸方向に延在するラチェット歯を備えるプランジャ本体と、
前記プランジャ本体が挿入される貫通孔を有し、前記貫通孔の内面が前記ラチェット歯と係合してラチェット機構を構成する爪部及び前記プランジャ本体を支持するプランジャ支持部を備えるフランジと、を備え、
前記プランジャ本体は、前記細長い形状の外周上の第２の領域で前記長軸方向に延在する第１の平面を備え、
前記プランジャ支持部は、前記プランジャ本体に面する第２の平面を備え、
前記第１の平面が前記第２の平面と接するとき、前記ラチェット歯が前記爪部と係合するように配置され、
前記プランジャ本体は、前記ラチェット歯の終端に前記ラチェット歯の基礎部より低い領域を備え、
前記爪部が前記ラチェット歯の基礎部より低い領域に入って、前記ラチェット歯と前記爪部との係合が外れることにより、前記プランジャ本体が前記フランジに対して回転できる定量注射筒用プランジャ。
【請求項２】
前記ラチェット歯と前記爪部との係合を外し、前記プランジャ本体を前記フランジに対して回転させて、周方向において前記爪部と前記プランジャ支持部との間に前記ラチェット歯を配置することにより、前記プランジャ本体は、前記フランジに対して前記長軸方向に移動できる、請求項１に記載の定量注射筒用プランジャ。
【請求項３】
前記プランジャ本体は、前記細長い形状の外周上の第３の領域で前記長軸方向に延在する第３の平面を備え、
前記プランジャ支持部は、前記第２の平面を備える第１のプランジャ支持部と、前記プランジャ本体に面する第４の平面を備える第２のプランジャ支持部と、を備え、
前記第１の平面が前記第２の平面と接するとき、前記第３の平面は、前記第４の平面と接する、請求項１または２に記載の定量注射筒用プランジャ。
【請求項４】
前記プランジャ本体は、略正六角形の断面を有し、
前記ラチェット歯は、前記略正六角形の断面の第１の辺を含み、
前記第１の平面は、前記略正六角形の断面の第３の辺を含み、
前記第３の平面は、前記略正六角形の断面の第５の辺を含む、請求項３に記載の定量注射筒用プランジャ。
【請求項５】
前記ラチェット歯は、複数設けられることを特徴とする、請求項１または２に記載の定量注射筒用プランジャ。
【請求項６】
前記爪部は、両側面に先端が四角い壁部を備える、請求項１乃至５のいずれか１項に記載の定量注射筒用プランジャ。
【請求項７】
前記プランジャ本体が挿入された前記フランジとフランジカバーとでシリンジのフランジ部を挟み、前記プランジャ本体を前記シリンジに装着させる、請求項１乃至６のいずれか１項に記載の定量注射筒用プランジャ。
【請求項８】
前記フランジ及び前記フランジカバーは、使用者が前記プランジャ本体を前記シリンジに押し込むグリップ部となり、前記グリップ部は、略円形である、請求項７に記載の定量注射筒用プランジャ。
【請求項９】
前記フランジ及び前記フランジカバーは、少なくとも一部にウレタン素材から形成された部材を備える、請求項７または８に記載の定量注射筒用プランジャ。
【請求項１０】
前記フランジカバーに前記シリンジの回転を抑制するようにボスが設けられる、請求項７乃至９のいずれか１項に記載の定量注射筒用プランジャ。
【請求項１１】
請求項１乃至１０のいずれか１項に記載の定量注射筒用プランジャと、
シリンジと、
前記シリンジと前記プランジャ本体を密閉するガスケットと、を備える、定量注射筒。
【発明の詳細な説明】
【技術分野】
【０００１】
本発明は、注射筒に充填された薬液を一定量だけ吐出させることができる定量注射筒用プランジャ及びこの定量注射筒用プランジャを用いた定量注射筒に関する。
【背景技術】
【０００２】
医療分野では、患者に薬物を、注射筒を使って投与する際、ある一定量を投与することがなされている。この一定量を正確に量るためにシリンジやプランジャに様々な構造を付すことがなされている。
【０００３】
特許文献１では、シリンジにつけるフィンガーグリップが係合部材を備え、この係合部材がプランジャロッドに係合されない非作用位置とプランジャロッドの溝付き表面と係合する作用位置の間を半径方向に移動可能であるフィンガーグリップが記載されている。
【先行技術文献】
【特許文献】
【０００４】
【特許文献１】特許第６４０１２３９号
【発明の概要】
【発明が解決しようとする課題】
【０００５】
しかしながら、このようなフィンガーグリップは、構成部材が多く、構造が複雑でシリンジやプランジャとの組立てが容易でなかった。そこで、本発明は、構成部材が少なく、構造が簡単で、定量注射筒の組み立てが容易な定量注射筒用プランジャ及び定量注射筒用プランジャを用いた定量注射筒を提供することを課題とする。
【課題を解決するための手段】
【０００６】
本発明の１つの実施形態に係る定量注射筒用プランジャは、細長い形状を有し、前記細長い形状の外周上の第１の領域で長軸方向に延在するラチェット歯を備えるプランジャ本体と、前記プランジャ本体が挿入される貫通孔を有し、前記貫通孔の内面が前記ラチェット歯と係合してラチェット機構を構成する爪部及び前記プランジャを支持するプランジャ支持部を備えるフランジと、を備え、前記プランジャ本体は、前記細長い形状の外周上の第２の領域で前記長軸方向に延在する第１の平面を備え、前記プランジャ支持部は、前記プランジャに面する第２の平面を備え、前記第１の平面が前記第２の平面と接するとき、前記ラチェット歯が前記爪部と係合するように配置され、前記プランジャ本体は、前記ラチェット歯の終端に前記ラチェット歯の基礎部より低い領域を備え、前記爪部が前記ラチェット歯の基礎部より低い領域に入って、前記ラチェット歯と前記爪部との係合が外れることにより、前記プランジャ本体が前記フランジに対して回転できる定量注射筒用プランジャである。
【発明の効果】
【０００７】
本発明により、構成部材が少なく、構造が簡単で、定量注射筒の組み立てが容易な定量注射筒用プランジャを提供できる。
【図面の簡単な説明】
【０００８】
【図１】本発明の第１の実施形態に係る定量注射筒用プランジャの一部を断面にした（ａ）概略斜視図と、（ｂ）側面図である。
【図２】本発明の第１の実施形態に係る定量注射筒用プランジャの（ａ）概略側面断面図と、（ｂ）Ａ−Ａ断面図と、（ｃ）ラチェット機構の部分拡大図である。
【図３】（ａ）は、本発明の第１の実施形態に係るプランジャ本体をフランジに対して押し込んで回転させた状態を示す、一部を断面にした概略側面図であり、（ｂ）は、図３（ａ）に示すプランジャ本体を回転させて軸方向に移動させた状態を示す、一部を断面にした概略側面図であり、（ｃ）は、定量注射筒用プランジャのＢ−Ｂ断面図である。
【図４】本発明の第１の実施形態に係るプランジャ本体をフランジに対して押し込んで（ａ）ラチェット機構の係合が外れた状態を示す部分拡大図と、（ｂ）ラチェット機構の係合を外して回転させた状態を示す部分拡大図である。
【図５】本発明の第１の実施形態に係る定量注射筒用プランジャをフランジカバーでシリンジに装着する概略斜視図である。
【図６】本発明の第１の実施形態に係る定量注射筒用プランジャをフランジカバーとともにシリンジに装着して注射筒を形成し、その注射筒に針部が取り付けられて形成された注射針を示す断面図である。
【図７】本発明の第１の実施形態に係る定量注射筒に針部が取り付けられて形成された注射針の概略斜視図である。
【図８】本発明の第２の実施形態に係る定量注射筒用プランジャの（ａ）概略側面断面図と、（ｂ）部分拡大断面図と、（ｃ）図９（ａ）のＣ−Ｃ断面拡大図である。
【図９】本発明の第１の実施形態に係る定量注射筒用プランジャを、ボスを付したフランジカバーでシリンジに装着する概略斜視図である。
【発明を実施するための形態】
【０００９】
以下、本発明を実施するための様々な実施の形態を、図面を参照して説明する。要点の説明または理解の容易性を考慮して、異なる図面で便宜上符号を変えてあるいは同一にして示す。実施の形態２以降では、実施の形態１と要点の説明または理解の容易性を考慮して、便宜上実施の形態を分けて示すが、異なる実施の形態で示した構成の部分的な置換または組み合わせは可能である。
【００１０】
［第１の実施形態］
（定量注射筒用プランジャの概観）
図１は、本発明の第１の実施形態に係る定量注射筒用プランジャの一部を断面にした（ａ）概略斜視図と（ｂ）側面図である。図６は、本発明の第１の実施形態に係る定量注射筒用プランジャを用いた注射筒を示す断面図である。図１及び図６を参照しながら、本発明の定量注射筒用プランジャの概観を説明する。
【００１１】
図１（ａ）、（ｂ）に示すように、本発明の定量注射筒用プランジャ１０３９は、プランジャ本体１００１とフランジ１００５とを備える。フランジ１００５は、プランジャ本体１００１が挿入される貫通孔を有し、図６に示すように、プランジャ本体１００１がシリンジ１０２９内に挿入された状態で、フランジ１００５をシリンジ１０２９に固定することにより定量注射筒１０４１が形成される。さらに、定量注射筒１０４１のシリンジ１０２９に針部１０３５を取り付けることにより、注射器が形成される。プランジャ本体１００１は、使用者がシリンジ１０２９に対して針部１０３５側に押し込んでシリンジ１０２９内の薬液を針部１０３５から吐出させるため、細長い形状を有している。プランジャ本体１００１は、細長い形状の外周上の第１の領域で長軸方向に延在するラチェット歯１００３を備える。
【００１２】
ラチェット歯１００３には、プランジャ本体１００１をシリンジ１０２９に装着したとき、プランジャ本体１００１を針部１０３５側に押し込む方向にしか動かないよう歯に傾斜がつけられている。後述するようにこのラチェット歯１００３の１つの歯の距離だけプランジャ本体１００１が押し込まれることにより、定量の薬液を吐出させることができる。すなわち、ラチェット歯１００３の間隔で細かく定量できる。便宜上、本明細書では、注射筒に組み込んだとき、薬液を吐出させるためにプランジャ本体１００１が動作する方向のことをフランジ１００５に対して押し込む方向、その方向に動かすことをフランジ１００５に対して押し込むとする。また、押し込む方向と逆の方向をフランジ１００５から引き抜く方向、その方向に動かすことをフランジ１００５から引き抜くとする。
【００１３】
プランジャ本体１００１は、長軸方向におけるシリンジ側の先端にガスケット１００９を備える。ガスケット１００９は、シリンジ１０２９とプランジャ本体１００１の間の密閉を確保する。ガスケット１００９は、シリンジ１０２９の径の大きさに応じて取り替えることができる。
【００１４】
フランジ１００５はプランジャ本体１００１が挿入される貫通孔１００７を備える。貫通孔１００７は、プランジャ本体１００１を支持し、案内する。貫通孔１００７の軸方向の長さは、プランジャ本体１００１を支持し、案内できる程度の長さであることが好ましいがこれに限定されない。また、フランジ１００５は、緩く弾性変形できる材質、例えばプラスチック、樹脂などを含んで作られることが好ましい。
【００１５】
（定量注射筒用プランジャのラチェット機構）
図２は、本発明の第１の実施形態に係る定量注射筒用プランジャの（ａ）概略側面断面図と（ｂ）Ａ−Ａ断面図と（ｃ）ラチェット機構の部分拡大図である。図２を参照しながら、本発明の定量注射筒用プランジャのラチェット機構について説明する。
【００１６】
図２（ａ）に示すように、フランジ１００５は、フランジの貫通孔１００７の内面がラチェット歯１００３と係合する爪部１０１１を備える。ラチェット歯１００３に設けられた歯の傾斜角度により、爪部１０１１は、一方の方向には、弾性変形してラチェット歯１００３に沿って動く。一方、反対の方向には、爪部１０１１はラチェット歯１００３に当接したまま移動することができない。このように、プランジャ本体１００１は、フランジ１００５とともにラチェット機構を構成する。
【００１７】
図２（ｂ）に示すように、フランジ１００５は、フランジの貫通孔１００７の内面にプランジャ本体１００１を支持する第１のプランジャ支持部１０１３及び第２のプランジャ支持部１０１５を備える。プランジャ支持部１０１３、１０１５が、プランジャ本体１００１に接触することによって貫通孔１００７内のプランジャ本体１００１を支持し、案内できる。
【００１８】
プランジャ本体１００１は、外周上の第２の領域で長軸方向に延在する第１の平面１０１７を備える。また、第１のプランジャ支持部１０１３は、プランジャ本体１００１の第１の平面１０１７に面する第２の平面１０１９を備える。第１の平面１０１７が第２の平面１０１９と接するとき、ラチェット歯１００３が爪部１０１１と係合するように配置されている。
【００１９】
また、プランジャ本体１００１は、外周上の第３の領域で長軸方向に延在する第３の平面１０２１を備える。第２のプランジャ支持部１０１５は、プランジャ本体１００１の第３の平面１０２１に面する第４の平面１０２３を備える。そして、第１の平面１０１７が第２の平面１０１９と接するとき、第３の平面１０２１は、第４の平面１０２３と接するように配置されている。
【００２０】
本実施形態においては、プランジャ本体１００１の外周上に、ラチェット歯１００３、第１の平面１０１７及び第３の平面１０２１が概略等分された位置に配置されている。同様に、フランジ１００５の貫通孔１００７の内周上に、爪部１０１１、第１のプランジャ支持部１０１３（第２の平面１０１９）及び第２のプランジャ支持部１０１５（第４の平面１０２３）が概略等分された位置に配置されている。すなわち、プランジャ本体１００１は、長軸方向に垂直な断面において略正六角形を有する。そして、ラチェット歯１００３は、略正六角形の断面の第１の辺を含み、第１の平面１０１７は、略正六角形の断面の第３の辺を含み、第３の平面１０２１は、略正六角形の断面の第５の辺を含む。ただし、周上の３つの部材の配置は、概略等分に限られるものではなく、プランジャ本体１００１側及びフランジの貫通孔１００７側の３つの部材の角度位置が概略一致している限り、その他の任意の角度配置を採用できる。
【００２１】
このように、第１のプランジャ支持部１０１３の第２の平面１０１９は、プランジャ本体１００１の第１の平面１０１７に接し、第２のプランジャ支持部１０１５の第４の平面１０２３は、プランジャ本体１００１の第３の平面１０２１に接することにより、フランジ１００５の貫通孔１００７がプランジャ本体１００１を支持し、案内する。また、プランジャ支持部１０１３、１０１５は、プランジャ本体１００１がフランジ１００５に対して回転することを抑制する。回転を抑制することで、ラチェット歯１００３が爪部１０１１と係合を維持でき、ラチェット機構を確実に機能させることができる。
【００２２】
図２（ｃ）に示すように、さらに爪部１０１１は両側面に壁部１０１２を備える。壁部１０１２は、先端が尖っている爪部１０１１と異なり、先端が四角くなっている。この壁部１０１２により、ラチェット歯１００３が進行方向に対して垂直方向に爪部１０１１を乗り越えられないので、爪部１０１１に沿って動き、プランジャ本体１００１の回転が抑制される。壁部１０１２の先端は、四角以外にも、ラチェット歯１００３の動きを制約できれば丸みを帯びた形も取ることができる。
【００２３】
プランジャ支持部は、第１のプランジャ支持部１０１３と第２のプランジャ支持部１０１５とを備えるが、１つの支持部を備えることもできる。また、さらに第３のプランジャ支持部を備えてもよい。
【００２４】
プランジャ本体１００１の断面は、正六角形のほかにラチェット歯１００３、第１の平面１０１７、第３の平面１０２１を除いて円弧を有してもよい。また、プランジャ本体１００１の断面は、五角形以上の多角形であってもよい。
【００２５】
（定量注射筒用プランジャのラチェット機構の解放）
図３（ａ）は、本発明の第１の実施形態に係るプランジャ本体をフランジに対して押し込んで回転させた状態を示す、一部を断面にした概略側面図であり、図３（ｂ）は、図３（ａ）に示すプランジャ本体を回転させて軸方向に移動させた状態を示す、一部を断面にした概略側面図であり、図３（ｃ）は、定量注射筒用プランジャのＢ−Ｂ断面図である。図４は、本発明の第１の実施形態に係るプランジャ本体をフランジに対して押し込んで（ａ）ラチェット機構の係合が外れた状態を示す部分拡大図と、（ｂ）ラチェット機構の係合を外して回転させた状態を示す部分拡大図である。図３及び図４を参照しながら、本発明の定量注射筒用プランジャのラチェット機構の解放について説明する。
【００２６】
図３（ａ）に示すように、プランジャ本体１００１をフランジから引き抜いたとき、ラチェット歯の長軸方向の終端にラチェット歯の基礎部より低い領域１０２４つまり溝部を備える。また、図３（ａ）の１０２５、及び図１（ａ）の１０２５、図１（ｂ）の１０２５、図２（ａ）の１０２５に示すように、プランジャ本体１００１は、プランジャ本体１００１をフランジに対して押し込んだとき、ラチェット歯１００３の長軸方向の終端にラチェット歯の基礎部より低い領域１０２５（溝部）を備える。このラチェット歯の基礎部より低い領域１０２４、１０２５（溝部）は、爪部１０１１の壁部１０１２より長く、ある程度の範囲、長軸方向に延在してもよい。
【００２７】
図３（ａ）に示すように、プランジャ本体１００１をフランジ１００５に対して押し込むと、図４（ａ）に示すように、爪部１０１１のラチェット歯の基礎部より低い領域１０２５に入り、ラチェット歯１００３と爪部１０１１との係合が外れる。ラチェット歯１００３と爪部１０１１との係合が外れることにより、プランジャ本体１００１の第１の平面１０１７と第１のプランジャ支持部１０１３の第２の平面１０１９との間に隙間ができる。また同様に、プランジャ本体１００１の第３の平面１０２１と第２のプランジャ支持部１０１５の第４の平面１０２３との間に隙間ができる。
【００２８】
したがって、プランジャ本体１００１は、プランジャ支持部１０１３、１０１５の拘束がなくなる。また、爪部１０１１の壁部１０１２がラチェット歯の基礎部より低い領域１０２５に収まる。したがって、図４（ｂ）に示すように、プランジャ支持部１０１３、１０１５の拘束がなくなり、爪部１０１１の壁部１０１２がラチェット歯の基礎部より低い領域１０２５に収まることにより、爪部１０１１が緩い弾性変形で回転できる。
【００２９】
図３（ｂ）に示すように、ラチェット歯１００３と爪部１０１１との係合を外した後に、プランジャ本体１００１をフランジ１００５に対して回転させたとき、プランジャ本体１００１は、フランジ１００５に対して長軸方向に移動できる。これによりラチェット機構から外れたプランジャ本体１００１は、ラチェット機構から外れ、フランジ１００５から引き抜くことができる。
【００３０】
このとき図３（ｃ）に示すように、フランジ１００５の周方向において爪部１０１１とプランジャ支持部１０１３、１０１５との間にラチェット歯１００３が配置されことによって、ラチェット歯１００３と爪部１０１１との係合が外れる。そして、プランジャ本体１００１の第１の平面１０１７は、第１のプランジャ支持部１０１３の第２の平面１０１９と接していない。また、プランジャ本体１００１の第３の平面１０２１は、第２のプランジャ支持部１０１５の第４の平面１０２３と接していない。
【００３１】
再び図３（ｂ）に示すように、プランジャ本体をフランジから引き抜くと、爪部１０１１は、プランジャ本体の突起部１０２６に当たる。この位置で爪部１０１１は、ラチェット歯の基礎部より低い領域１０２４（溝）に来る。ここで、プランジャ本体１００１を回転させると、爪部１０１１が、ラチェット歯の基礎部より低い領域１０２４に収まることにより、爪部１０１１が緩い弾性変形で回転できる。プランジャ本体１００１をフランジ１００５に対して回転させることによって、再びラチェット歯１００３を爪部１０１１に係合させることができる。すると、図１に示すように、プランジャ本体１００１とフランジ１００５とを初期の位置に戻すことができる。
【００３２】
このように、本発明の第１の実施形態に係る定量注射筒用プランジャは、ラチェット機構で押し込んだ後、元に戻す機構を備えるため、使い捨てにせずに、何度でも再利用できる。
【００３３】
（定量注射筒用プランジャの注射筒への装着）
図５は、本発明の第１の実施形態に係る定量注射筒用プランジャをフランジカバーでシリンジに装着する第１の方向からの概略斜視図である。図６は、本発明の第１の実施形態に係る定量注射筒用プランジャをフランジカバーとともにシリンジに装着して注射筒を形成し、その注射筒に針部が取り付けられて形成された注射針を示す断面図である。図７は、本発明の第１の実施形態に係る定量注射筒に針部が取り付けられて形成された注射針の概略斜視図である。図５乃至図７を参照しながら、本発明の定量注射筒用プランジャをシリンジに装着した定量注射筒を説明する。
【００３４】
図５に示すように、本発明の定量注射筒用プランジャを注射筒に組立てた定量注射筒１０４１は、フランジ１００５が挿入されたプランジャ本体１００１とフランジカバー１０２７とを備える。
【００３５】
また、本発明の定量注射筒１０４１は、シリンジ１０２９を備える。シリンジ１０２９は、フランジ部１０３１を備える。プランジャ本体１００１が挿入されたフランジ１００５と、フランジカバー１０２７とでシリンジ１０２９のフランジ部１０３１を挟み込んで固定することによりプランジャ本体１００１は、シリンジ１０２９に装着される。
【００３６】
フランジカバー１０２７は、定量注射筒１０４１に組立てるときに、長軸方向から組み立てる方法でも、長軸方向に分割して長軸方向から垂直にシリンジ１０２９を挟み込み組み立てる方法でもよい。
【００３７】
フランジ１００５及びフランジカバー１０２７は、少なくとも一部にウレタン素材から形成された部材１０３３を備える。ウレタン素材は容易に変形できるため、シリンジ１０２９のフランジ部１０３１の形状にかかわらずフランジ１００５及びフランジカバー１０２７は、シリンジ１０２９に装着できる。
【００３８】
図６に示すように、シリンジ１０２９の先端部には針部１０３５を取り付けることができる。さらに本発明の定量注射筒１０４１は、シリンジ１０２９とプランジャ本体１００１の間の密閉を確保するガスケット１００９を備える。このように本発明の定量注射筒１０４１は、プランジャ本体１００１とフランジ１００５とからなる定量注射筒用プランジャと、シリンジ１０２９と、ガスケット１００９とを備える。これにより、薬液を注射、注入する定量注射筒に用いることができる。
【００３９】
図７に示すように、本発明の定量注射筒１０４１は、プランジャ本体１００１と、シリンジ１０２９と、フランジ１００５とフランジカバー１０２７とが一体化したグリップ部１０３７と、を備える。
【００４０】
グリップ部１０３７は、使用者がプランジャ本体１００１をシリンジ１０２９に押し込む際に握る部分である。グリップ部１０３７は、略円形である。グリップ部１０３７が円形であることで、３６０°どの周囲からでもプランジャ本体１００１をシリンジ１０２９に対して押し込むことができる。
【００４１】
本発明により、構成部材が少なく、構造が簡単で、定量注射筒の組み立てが容易な定量注射筒用プランジャを提供できる。また、本発明の定量注射筒用プランジャは、ラチェット機構で押し込んだ後、元に戻す機構を備えるため、使い捨てにせずに、何度でも再利用できる。
【００４２】
［第２の実施形態］
（定量注射筒用プランジャのラチェット機構）
図８は、本発明の第２の実施形態に係る定量注射筒用プランジャの（ａ）概略側面断面図と、（ｂ）部分拡大断面図と、（ｃ）図８（ａ）のＣ−Ｃ断面拡大図である。図８を参照しながら、本発明のラチェット機構の変形例を有する第２の実施形態に係る定量注射筒用プランジャを説明する。本実施形態の定量注射筒用プランジャは、ラチェット機構が２つあり、定量の微調整ができる点で第１の実施形態と異なる。
【００４３】
図８（ａ）に示すように、本発明の第２の実施形態に係る定量注射筒用プランジャは、プランジャ本体２００１に、第１のラチェット歯２００３と第２のラチェット歯２００５を備える。また、フランジ２００７に第１の爪部２００９と第２の爪部２０１１を備える。
【００４４】
図８（ｂ）に示すように、第１のラチェット歯２００３に第１の爪部２００９が係合し、第２のラチェット歯２００５に第２の爪部２０１１が係合する。ここで、第１のラチェット歯２００３と第２のラチェット歯２００５は押し込む方向（長軸方向）において互い違いに形成され、第１のラチェット歯２００３の歯と歯の間に第２のラチェット歯２００５の歯がある。第２のラチェット歯２００５の歯が、第１のラチェット歯２００３の歯と歯の間の中央にあるように設ければ、第１のラチェット歯２００３の２倍の細かさで定量できる。
【００４５】
第１の爪部２００９と第２の爪部２０１１は、長軸方向において図示されているように異なる位置にあってもよいし、同じ位置にあってもよい。第１のラチェット歯２００３の１つの歯を第１の爪部２００９が乗り越えたところで、第２の爪部２０１１が第２のラチェット歯２００５の歯に当たるように、また第１の爪部２００９においても同様に長軸方向において異なる位置に第１の爪部２００９と第２の爪部２０１１を設けると互いがストッパの役割を果たすため好ましい。
【００４６】
図８（ｃ）に示すように、本実施形態のプランジャ本体２００１は正六角形をしている。第１のラチェット歯２００３は、外周上の第１の領域で長軸方向に延在する。第２のラチェット歯２００５は外周上の第２の領域で長軸方向に延在する。第１のラチェット歯２００３は第２のラチェット歯２００５と対辺の位置にある。
【００４７】
また、フランジ２００７は、第１のプランジャ支持部２０１３と第２のプランジャ支持部２０１５を備える。第１のプランジャ支持部２０１３は、第２のプランジャ支持部２０１５と対辺の位置にある。
【００４８】
プランジャ本体２００１は、外周上の第３の領域で長軸方向に延在する第１の平面２０１７を備える。また、第１のプランジャ支持部２０１３は、プランジャ本体２００１の第１の平面２０１７に対向する第１の曲面２０１９を備える。プランジャ本体２００１は、外周上の第４の領域で長軸方向に延在する第２の平面２０２１を備える。また、第２のプランジャ支持部２０１５は、プランジャ本体２００１の第２の平面２０２１に対向する第２の曲面２０２３を備える。そして、第１の平面２０１７が第１の曲面２０１９と対向し、第２の平面２０２１が第２の曲面２０２３と対向するとき、第１のラチェット歯２００３が第１の爪部２００９と係合し、第２のラチェット歯２００５が第２の爪部２０１１に係合するように配置されている。
【００４９】
ここで、実施の形態１と異なり、第１のプランジャ支持部２０１３と第２のプランジャ支持部２０１５で固定されていない。しかしながら、フランジ２００７から突出している第１のプランジャ支持部２０１３と第２のプランジャ支持部２０１５があることでプランジャ本体２００１は、回転しようとすると第１のプランジャ支持部２０１３または第２のプランジャ支持部２０１５の頂点のいずれかと接触する。そのため、プランジャ本体２００１は、プランジャ支持部２０１３、２０１５により貫通孔内で支持され、回転が抑制される。
【００５０】
このようにすることで、プランジャ本体２００１の回転を抑制し、ラチェット機構を確実に機能させることができる。第１の実施形態と同様に第１の爪部及び第２の爪部に壁部を設け、回転を抑制してもよい。
【００５１】
プランジャ本体２００１をフランジ２００７に対して押し込んだ後、本実施形態のラチェット機構を解放するための回転機構は、第１の実施形態とラチェット機構が２つある点及び回転方向が固定される点で異なる。
【００５２】
ラチェット機構が２つあり、第１の爪部２００９と第２の爪部２０１１の長軸方向における位置が異なるため、第１のラチェット歯２００３と第２のラチェット歯２００５のラチェット歯の基礎部より低い領域（溝部）の長軸方向の位置も異なる。第１のラチェット歯２００３と第２のラチェット歯２００５の溝部は、長軸方向において一部重なっていてもよい。ラチェット歯の基礎部より低い領域は、第１のラチェット歯２００３の長軸方向の前端と後端にあり、第２のラチェット歯２００５の長軸方向の前端と後端にある。
【００５３】
第１の爪部２００９が、第１のラチェット歯２００３のラチェット歯の基礎部より低い領域に入り、第２の爪部２０１１が第２のラチェット歯２００５の基礎部より低い領域に入ることにより、第１の爪部２００９と第２の爪部２０１１のわずかな弾性変形で、プランジャ本体２００１は、フランジ２００７に対して回転できる。
【００５４】
第１の実施の形態と異なり、第１のプランジャ支持部２０１３が第１の曲面２０１９を有し、第２のプランジャ支持部２０１５が第２の曲面２０２３を有すること、並びに第１のプランジャ支持部２０１３及び第２のプランジャ支持部２０１５とプランジャ本体２００１とが完全に固定されていないことによりフランジ２００７の緩い弾性変形でプランジャ本体２００１は、回転できる。
【００５５】
プランジャ本体２００１がフランジ２００７に対して回転する回転方向は、第１のラチェット歯２００３が、第１の爪部２００９と第１のプランジャ支持部２０１３の間に入り、第２のラチェット歯２００５が、第２の爪部２０１１と第２のプランジャ支持部２０１５の間に入る方向である。
【００５６】
第１の実施形態と同様に、ラチェット機構を解放した後、プランジャ本体２００１をフランジ２００７から引き抜き、第１の爪部２００９がプランジャ本体の突起部に当たったとき再びプランジャ本体２００１をフランジ２００７に対して回転する。第１の爪部２００９が第１のラチェット歯２００３の溝部に入り、第２の爪部２０１１が第２のラチェット歯の溝部に入ることで、プランジャ本体２００１はフランジ２００７に対して第１の爪部２００９と第２の爪部２０１１のわずかな弾性変形で回転でき、元の位置に戻すことができる。
【００５７】
このように、本発明の第２の実施形態に係る定量注射筒用プランジャは、ラチェット機構で押し込んだ後、元に戻す機構を備えるため、使い捨てにせずに、何度でも再利用できる。
【００５８】
上記からわかるように、プランジャ本体２００１は正六角形に限らず、六角形以上の正八角形やその他の偶数の多角形でもよい。また、ラチェット歯は、２つに限らず、３つ以上あってもよい。その場合さらに細かな定量ができる。
【００５９】
本発明の第２の実施形態に係る定量注射筒用プランジャは、微量の定量注射をすることができる。また、本発明の第２の実施形態に係る定量注射筒用プランジャは、ラチェット機構で押し込んだ後、元に戻す機構を備えるため、使い捨てにせずに、何度でも再利用できる。
【００６０】
（定量注射筒用プランジャの注射筒への装着の変形例）
図９は、本発明の第１の実施形態に係る定量注射筒用プランジャを、ボスを付したフランジカバーでシリンジに装着する概略斜視図である。図９を参照しながら、本発明の定量注射筒用プランジャの注射筒への装着の変形例を説明する。
【００６１】
図９に示すように、本発明の定量注射筒用プランジャを注射筒に組立てた定量注射筒３０４１は、フランジ３００５が挿入されたプランジャ本体３００１とフランジカバー３０２７とを備える。
【００６２】
また、本発明の定量注射筒３０４１は、シリンジ３０２９を備える。シリンジ３０２９は、フランジ部３０３１を備える。プランジャ本体３００１が挿入されたフランジ３００５と、フランジカバー３０２７とでシリンジ３０２９のフランジ部３０３１を挟み込んで固定することによりプランジャ本体３００１は、シリンジ３０２９に装着される。
【００６３】
フランジカバー３０２７は、４つのボス３０３３を備える。このボス３０３３によりフランジ部３０３１を固定し、フランジカバー３０２７に対してシリンジ３０２９を固定する。図示しないが、フランジ３００５にウレタン素材からなる部材を備え、ある程度の大きさのフランジ部３０３１に適用できるようにすることもできる。
【００６４】
このようにすることで、シリンジ３０２９の回転を抑制するように定量注射筒用プランジャに固定できる。
【００６５】
上述の実施形態の説明は、すべての点で例示であって、制限的なものではない。当業者にとって変形および変更が適宜可能である。本発明の範囲は、上述の実施形態ではなく、特許請求の範囲によって示される。さらに、本発明の範囲には、特許請求の範囲内と均等の範囲内での実施形態からの変更が含まれる。
【産業上の利用可能性】
【００６６】
本発明は、薬液等の定量が必要な注射筒を用いた注射、注入に利用できる。
【符号の説明】
【００６７】
１００１  プランジャ本体
１００３  ラチェット歯
１００５  フランジ
１００７  貫通孔
１００９  ガスケット
１０１１  爪部
１０１２  壁部
１０１３  第１のプランジャ支持部（プランジャ支持部）
１０１５  第２のプランジャ支持部（プランジャ支持部）
１０１７  第１の平面
１０１９  第２の平面
１０２１  第３の平面
１０２３  第４の平面
１０２４  ラチェット歯の基礎部より低い領域
１０２５  ラチェット歯の基礎部より低い領域
１０２６  突起部
１０２７  フランジカバー
１０２９  シリンジ
１０３１  フランジ部
１０３３  ウレタン素材から形成された部材
１０３５  針部
１０３７  グリップ部
１０３９  定量注射筒用プランジャ
１０４１  定量注射筒
２００１  プランジャ本体
２００３  第１のラチェット歯
２００５  第２のラチェット歯
２００７  フランジ
２００９  第１の爪部
２０１１  第２の爪部
２０１３  第１のプランジャ支持部
２０１５  第２のプランジャ支持部
２０１７  第１の平面
２０１９  第１の曲面
２０２１  第２の平面
２０２３  第２の曲面
３００１  プランジャ本体
３００５  フランジ
３０２７  フランジカバー
３０２９  シリンジ
３０３１  フランジ部
３０３３  ボス
３０４１  定量注射筒
【図１】
2020188858.tif 000003
【図２】
2020188858.tif 000004
【図３】
2020188858.tif 000005
【図４】
2020188858.tif 000006
【図５】
2020188858.tif 000007
【図６】
2020188858.tif 000008
【図７】
2020188858.tif 000009
【図８】
2020188858.tif 000010
【図９】
2020188858.tif 000011